(57)【要約】      （修正有）【課題】簡単な構成で水を使用するときは水道水が吐出され、水を使用していないときは水道水の流出が止まるようにできる節水用アタッチメントを提供すること及びそれを用いた節水装置を提供する。【解決手段】節水装置１００は、節水用アタッチメント１０と、節水用アタッチメント１０と一体的になるように嵌め込まれたコネクターセット１１０を有し、水道蛇口Ｊからの水の流出が開閉ダンパー１２ａで止められるように形成されている。水道蛇口Ｊからの水の流出が開閉ダンパー１２ａで止められている状態で、押し棒１２ｂが押されることで開閉ダンパー１２ａと底部１１ａの開口の間から水が吐出するように形成されており、押し棒１２ｂが押されなくなると水の吐出が止まる。このように節水装置１００は、押し棒１２ｂを押し付けている時間のみの水の吐出であり、非常に高い節水効果の実現が可能となる。【選択図】図１
0003220655.tif 000002
【実用新案登録請求の範囲】
【請求項１】
ホース継手を有し水道蛇口に接続するように形成されているコネクターセットに用いる節水用アタッチメントであって、
本体部と節水部材と弾性体を有し、
前記本体部は、開口を有する底部と、前記底部と一体的に形成されている中空を有する円筒部を有し、
前記節水部材は、前記本体部の中空に載置され前記底部の開口を開閉するように形成されている開閉ダンパーと、前記開閉ダンパーと一体的に形成され前記開口を介して前記本体部の外部に設けられるように形成されている押し棒を有し、
前記弾性体は、前記本体部が前記ホース継手に嵌め込まれ、前記開閉ダンパーが前記中空に載置されている状態で、前記開閉ダンパーを押圧するように形成されており、
前記開口は、前記開閉ダンパーが前記弾性体で前記押圧されることで閉じられるように形成されており、
前記開口が前記開閉ダンパーにより閉じられた状態で、前記押し棒を移動させることで前記開口と前記開閉ダンパーの間に空洞ができるように形成されていることを特徴とする節水用アタッチメント。
【請求項２】
前記本体部、樹脂で形成されているネジ込みソケットであり、
前記節水部材は、金属で形成されており、
前記弾性体は、金属で形成されている圧縮バネであることを特徴とする請求項１に記載の節水用アタッチメント。
【請求項３】
請求項１または請求項２に記載の節水用アタッチメントと、前記節水用アタッチメントと一体的になるように嵌め込まれた前記コネクターセットを有する節水装置であって、
前記水道蛇口に前記コネクターセットが接続され、前記蛇口からの水の流出が前記開閉ダンパーにより止められるように形成されており、
前記水の流出が前記開閉ダンパーにより止められている状態で、前記押し棒が押されることで前記開閉ダンパーと前記開口の間から前記水が吐出するように形成され、且つ、前記押し棒が押されなくなると前記水の吐出が止まるように形成されていることを特徴とする節水装置。
【請求項４】
前記コネクターセットと前記本体部の接触部分及び前記本体部と前記接触部材は、パッキンを介して固着されるように形成されていることを特徴とする請求項３に記載の節水装置。
【考案の詳細な説明】
【技術分野】
【０００１】
本考案は、節水用アタッチメント及び節水装置に関する。
【背景技術】
【０００２】
従来、水栓は、握りハンドルを回転操作して本体に内蔵のコマ付き弁体を給水圧によって開弁させるタイプのものが普及しており、水資源を有効に利用するために節水が重要であり、握りハンドルをレバーに代えてワンタッチ操作で弁体を開閉できるようにした節水タイプのものも開示されている。
【先行技術文献】
【特許文献】
【０００３】
【特許文献１】特開２００９-７４３４２号公報
【考案の概要】
【考案が解決しようとする課題】
【０００４】
上記の握りハンドルをレバーに代えた水栓において節水の効果は、十分ではなく、例えば、開弁のレバー操作をしてから実際に水を使用するまでと水の使用を済ませてレバー操作によって閉弁するまでの間において水を消費しており、より効果的なものが求められていた。
【０００５】
本考案は、こうした点に鑑みてなされたものであり、ホース継手を有し水道蛇口に接続するように形成されているコネクターセットに用いる節水用アタッチメントであって簡単な構成で水を使用するときは水道水が吐出され、水を使用していないときは水道水の流出が止まるように形成されている節水用アタッチメントを提供すること及びそれを用いた節水装置を提供することである。
【課題を解決するための手段】
【０００６】
上記課題を解決するために、本考案に係る節水用アタッチメントは、ホース継手を有し水道蛇口に接続するように形成されているコネクターセットに用いる節水用アタッチメントであって、本体部と節水部材と弾性体を有し、前記本体部は、開口を有する底部と、前記底部と一体的に形成されている中空を有する円筒部を有し、前記節水部材は、前記本体部の中空に載置され前記底部の開口を開閉するように形成されている開閉ダンパーと、前記開閉ダンパーと一体的に形成され前記開口を介して前記本体部の外部に設けられるように形成されている押し棒を有し、前記弾性体は、前記本体部が前記ホース継手に嵌め込まれ、前記開閉ダンパーが前記中空に載置されている状態で、前記開閉ダンパーを押圧するように形成されており、前記開口は、前記開閉ダンパーが前記弾性体で前記押圧されることで閉じられるように形成されており、前記開口が前記開閉ダンパーにより閉じられた状態で、前記押し棒を移動させることで前記開口と前記開閉ダンパーの間に空洞ができるように形成されていることを特徴とする。
【０００７】
本考案に係る節水用アタッチメントの態様について、前記本体部、樹脂で形成されているネジ込みソケットであり、前記節水部材は、金属で形成されており、前記弾性体は、金属で形成されている圧縮バネであることが好ましい。
【０００８】
上記課題を解決するために、本考案に係る節水装置は、上記に記載の節水用アタッチメントと、前記節水用アタッチメントと一体的になるように嵌め込まれた前記コネクターセットを有する節水装置であって、前記水道蛇口に前記コネクターセットが接続され、前記蛇口からの水の流出が前記開閉ダンパーにより止められるように形成されており、前記水の流出が前記開閉ダンパーにより止められている状態で、前記押し棒が押されることで前記開閉ダンパーと前記開口の間から前記水が吐出するように形成され、且つ、前記押し棒が押されなくなると前記水の吐出が止まるように形成されていることを特徴とする。
【０００９】
本考案に係る節水装置の態様について、前記コネクターセットと前記本体部の接触部分及び前記本体部と前記接触部材は、パッキンを介して固着されるように形成されていることが好ましい。
【考案の効果】
【００１０】
本考案によれば、ホース継手を有し水道蛇口に接続するように形成されているコネクターセットに用いる節水用アタッチメントであって簡単な構成で水を使用するときは水道水が吐出され、水を使用していないときは水道水の流出が止まるように形成されている節水用アタッチメントを提供することができ及びそれを用いた節水装置を提供することができる。
【図面の簡単な説明】
【００１１】
【図１】実施形態の節水用アタッチメント及びそれを用いた節水装置の一例を示す模式図である。
【図２】実施形態の節水装置の使用の一例を示す参考図である。
【考案を実施するための形態】
【００１２】
以下、本考案の節水用アタッチメント及びそれを用いた節水装置を、図１及び図２を用いて説明する。図１は、節水用アタッチメント１０とコネクターセット１１０を用いた節水装置１００が、水道蛇口Ｊに接続されている一例を示す模式図である。図２（ａ）は、節水装置１００が使用されていない状態の一例を示す参考図であり、図２（ｂ）は、節水装置１００が使用されている状態の一例を示す参考図である。
【００１３】
まず、節水用アタッチメント１０について説明する。節水用アタッチメント１０は、ホース継手１１０ａを有し水道蛇口Ｊに接続するように形成されているコネクターセット１１０に用いる節水用のアタッチメントである。
【００１４】
節水用アタッチメント１０は、本体部１１と節水部材１２と弾性体１３を有している。この例においては、本体部１１は、樹脂で形成されているネジ込みソケットであり、節水部材１２は、金属で形成されており、また、弾性体１３は、金属で形成されている圧縮バネであるが、これに限定されず適宜最適な部材を用いることができる。
【００１５】
本体部１１は、開口を有する底部１１ａと、底部１１ａと一体的に形成されている中空を有する円筒部１１ｂから構成されている。円筒部１１ｂの中空は、ホース継手１１０ａを覆うように形成されており、例えば、円筒部１１ｂが、コネクターセット１１０に螺子を用いて嵌め込まれ密閉され接続されるように形成されている。また、この螺子を用いた嵌め込みにおいて、パッキンを用いて密閉度を高める構成が望ましい。
【００１６】
節水部材１２は、開閉ダンパー１２ａと押し棒１２ｂを有しており、開閉ダンパー１２ａは、本体部１１の中空に載置され底部１１ａの開口を開閉するように形成されている。この例において、開閉ダンパー１２ａは、円盤状に形成されており、この円盤状の直径が、底部１１ａの開口の直径より大きくなるように形成され、開閉ダンパー１２ａが開口を閉じることができるように形成されている。なお、開閉ダンパー１２ａは、円盤状であるがこれに限定されず、底部１１ａの開口を閉じることができるものであればよく適宜最適なものにすればよい。
【００１７】
押し棒１２ｂは、開閉ダンパー１２ａと一体的に形成されており、底部１１ａの開口を介して本体部１１の外部に設けられるように形成されている。すなわち、開閉ダンパー１２ａは、円筒部１１ｂの中空に配置され、開閉ダンパー１２ａと一体的に形成されている押し棒１２ｂは、底部１１ａの開口を介して本体部１１の外部、つまり下方に配置され、この押し棒１２ｂを動かすことにより、開閉ダンパー１２ａと底部１１ａの開口の間の空洞ができるような構成となっている。
【００１８】
弾性体１３は、円筒部１１ｂの中空に載置されるように形成されており、本体部１１が、ホース継手１１０ａに嵌め込まれ、開閉ダンパー１２ａが、円筒部１１ｂの中空に載置されている状態で、開閉ダンパー１２ａが押圧され、このように押圧されることで底部１１ａの開口が閉じられるように形成されている。なお、弾性体１３を開閉ダンパー１２ａと一体的に形成、例えば、接着してもよく、このようにすることで弾性体１３の飛び出しを防ぐことができる。
【００１９】
すなわち、底部１１ａの開口が開閉ダンパー１２ａにより閉じられた状態で、押し棒１２ｂを動かし移動させることで底部１１ａの開口と開閉ダンパー１２ａの間に空洞ができ、水道水が流出するように形成されており、押し棒１２ｂの移動を止めることで、弾性体１３の圧縮力で開口が閉じられ、水道水の流出を止めることができる。なお、開閉ダンパー１２ａと押し棒１２ｂの接続部分において、図１のＺ〜Ｚ矢視が示すように流水路が形成されるような構成にしてもよい。
【００２０】
次に、節水装置１００について説明する。節水装置１００は、節水用アタッチメント１０と、この節水用アタッチメント１０と一体的になるように嵌め込まれたコネクターセット１１０から構成されている。節水装置１００は、水道蛇口Ｊにコネクターセット１１０が接続された状態で、水道蛇口Ｊからの水の流出が開閉ダンパー１２ａで止められるように形成されている。
【００２１】
節水装置１００は、水道蛇口Ｊからの水の流出が開閉ダンパー１２ａで止められている状態で、押し棒１２ｂが押されることで開閉ダンパー１２ａと底部１１ａの開口の間から水が吐出するように形成され、且つ、押し棒１２ｂが押されなくなると水の吐出が止まるように形成されている。
【００２２】
節水装置１００は、コネクターセット１１０と本体部１１の接触部分及び本体部１１と節水部材１２は、パッキンを介して固着されるように形成されていることが望ましく、このようにすることで密閉度をより効果的にすることができる。
【００２３】
上記の構成を有する節水装置１００は、ねじ込み式や昇降式のバルブに関係なく、常時弁としての機能を有する開閉ダンパー１２ａが、閉じた状態のままであり、例えば、ノズルの先端の押し棒１２ｂを手やコップなどで、押して傾ければ、水が吐出し、押し棒１２ｂから手やコップ等を離せば、完全に吐出は止まり、この場合、水は一滴も流れ落ちないという顕著な効果を有している。
【００２４】
このように押し棒１２ｂを押し付けている間のみの吐出の為、節水の効果は計り知れないものがある。例えば、学校や幼稚園などで、校庭で砂遊びなどをして教室に戻る際の手洗いや、校舎内での手洗い、歯磨き、トイレ、また工場食品を扱う場所など、その都度水栓コックの開閉作業をせずに、水を必要とするとき（押し棒１２ｂを押し付けている間のみ）だけ使用し、使用の目的を達することができる。また、節水装置１００は、通常の使用方法を望まれる場合には、カプラ式のソケットから外すことができ通常どおり手動にて水道蛇口Ｊを開閉させることができる。
【００２５】
従来、飲用、洗顔や歯磨き、手洗い時に蛇口のバルブを開き、水道水を吐出させるが、使用時間は僅かな時間であっても、その都度閉めない事が多い（特に洗顔）ので、殆んど出しっぱなしの状態で一連の動作を終了して初めて、蛇口を閉めるのが通常の使われ方であり、使用する量の何倍もの水道水が流されてしまう。このような問題を解決した本考案の節水用アタッチメント１０を用いた節水装置１００は、上記のとおり、蛇口の吐出先端に、内部の開閉ダンパー１２ａを動かす押し棒１２ｂを設け、手や歯ブラシまたコップなどで押し棒１２ｂに押し付け、傾けさせる事に依りソケット内の開閉ダンパー１２ａが傾き（流路が開く）水道水が吐出される。手やコップを押し棒１２ｂから離すと、ダンパー内の水圧と圧縮バネに依り開閉ダンパー１２ａが、閉じの状態となり、水道水の流出が止まる。本考案は、上記のとおり押し棒１２ｂを押し付けている時間のみの吐出であり、非常に高い節水効果が実現できるものである。
【００２６】
以上、本考案の有する特徴及び優れた点を上記実施形態に記載したが、本考案は、本願の実用新案登録請求の範囲で使用されている言葉を広く一般的な意味に拡張して実施することができる。
【００２７】
また、本考案の節水用アタッチメント及びそれを用いた節水装置は、大きさや形状、素材の種類、厚さ、重さなどについては多様な実施形態が可能であり、それらについて本実施形態と異なる形態による実施は、本考案の技術的範囲に含まれる。
【符号の説明】
【００２８】
１００    節水装置
１１０    コネクターセット
１１０ａ  ホース継手
１０      節水用アタッチメント
１１      本体部
１１ａ    底部
１１ｂ    円筒部
１２      節水部材
１２ａ    開閉ダンパー
１２ｂ    押し棒
１３      弾性体
Ｊ        水道蛇口
【図１】
0003220655.tif 000003
【図２】
0003220655.tif 000004
【手続補正書】
【提出日】平成31年1月19日(2019.1.19)
【手続補正１】
【補正対象書類名】明細書
【補正対象項目名】００１３
【補正方法】変更
【補正の内容】
【００１３】
まず、節水用アタッチメント１０について説明する。節水用アタッチメント１０は、ホース継手１１０ａを有し水道蛇口Ｊに接続するように形成されているコネクターセット１１０に用いる節水用のアタッチメントである。ここでコネクターセット１１０について説明する。コネクターセット１１０は、ホース継手１１０ａと、水道蛇口Ｊに接続するように形成されている蛇口接続部分を有しており、ホース継手１１０ａと上記の蛇口接続部分が、例えば、カプラソケットを介して着脱されるように形成されている。
【手続補正２】
【補正対象書類名】実用新案登録請求の範囲
【補正対象項目名】全文
【補正方法】変更
【補正の内容】
【実用新案登録請求の範囲】
【請求項１】
ホース継手を有し水道蛇口に接続するように形成されているコネクターセットであり、前記コネクターセットは、前記ホース継手と、前記水道蛇口に接続するように形成されている蛇口接続部分を有し、前記ホース継手と前記蛇口接続部分が、着脱されるように形成されている前記コネクターセットに用いる節水用アタッチメントであって、
本体部と節水部材と弾性体を有し、
前記本体部は、開口を有する底部と、前記底部と一体的に形成されている中空を有する円筒部を有し、
前記節水部材は、前記本体部の中空に載置され前記底部の開口を開閉するように形成されている開閉ダンパーと、前記開閉ダンパーと一体的に形成され前記開口を介して前記本体部の外部に設けられるように形成されている押し棒を有し、
前記弾性体は、前記本体部が前記ホース継手に嵌め込まれ、前記開閉ダンパーが前記中空に載置されている状態で、前記開閉ダンパーを押圧するように形成されており、
前記開口は、前記開閉ダンパーが前記弾性体で前記押圧されることで閉じられるように形成されており、
前記開口が前記開閉ダンパーにより閉じられた状態で、前記押し棒を移動させることで前記開口と前記開閉ダンパーの間に空洞ができるように形成されていることを特徴とする節水用アタッチメント。
【請求項２】
前記本体部、樹脂で形成されているネジ込みソケットであり、
前記節水部材は、金属で形成されており、
前記弾性体は、金属で形成されている圧縮バネであることを特徴とする請求項１に記載の節水用アタッチメント。
【請求項３】
請求項１または請求項２に記載の節水用アタッチメントと、前記節水用アタッチメントと一体的になるように嵌め込まれた前記コネクターセットを有する節水装置であって、
前記水道蛇口に前記コネクターセットが接続され、前記蛇口からの水の流出が前記開閉ダンパーにより止められるように形成されており、
前記水の流出が前記開閉ダンパーにより止められている状態で、前記押し棒が押されることで前記開閉ダンパーと前記開口の間から前記水が吐出するように形成され、且つ、前記押し棒が押されなくなると前記水の吐出が止まるように形成されていることを特徴とする節水装置。
【請求項４】
前記コネクターセットと前記本体部の接触部分及び前記本体部と前記節水部材は、パッキンを介して固着されるように形成されていることを特徴とする請求項３に記載の節水装置。